(57)【要約】【課題】治療中の被照射体の負担を低減することができる中性子捕捉療法装置を提供することを目的とする。【解決手段】中性子捕捉療法装置１は、コリメータ３１の出口３１ｂ側に設けられ、患者Ｓとコリメータ３１との間から漏れる漏れ中性子線ＬＮを患者Ｓへ向かって反射可能に構成された反射部５０を備えている。これによって、患者Ｓとコリメータ３１との間から漏れる漏れ中性子線ＬＮは、反射部５０で反射することによって患者Ｓへ向かうことができ、患者Ｓへ照射される。従って、患者Ｓへ照射される中性子線Ｎの照射量を増加させることによって、治療時間を短縮することが可能となる。また、患者Ｓが負担の少ない姿勢を取っても、反射部５０によって反射される中性子線Ｎを患者Ｓの腫瘍ＣＳへ照射させることによって、治療時間の増加を抑制できる。【選択図】図４
2015084808.tif 000002
【特許請求の範囲】
【請求項１】
中性子線を被照射体に照射する中性子捕捉療法装置であって、
荷電粒子線が照射されることによって中性子線を発生させるターゲットと、
前記中性子線の照射野を成形する照射野成形部と、
前記照射野成形部の出口側に設けられ、前記被照射体と前記照射野成形部との間から漏れる前記中性子線を前記被照射体へ向かって反射可能に構成された反射部と、を備える、中性子捕捉療法装置。
【請求項２】
前記反射部を支持する支持部を更に備える、請求項１に記載の中性子捕捉療法装置。
【請求項３】
前記反射部は、前記被照射体を載置する載置台に設けられる、請求項１に記載の中性子捕捉療法装置。
【請求項４】
前記照射野成形部は、照射軸方向へ延伸可能であり、
前記反射部は、延伸した前記照射野成形部と前記被照射体との間から漏れる前記中性子線を前記被照射体へ向かって反射可能である、請求項１〜３の何れか一項に記載の中性子捕捉療法装置。
【発明の詳細な説明】
【技術分野】
【０００１】
本発明は、中性子線を被照射体に照射する中性子捕捉療法装置に関する。
【背景技術】
【０００２】
従来、中性子線を照射してがん細胞を死滅させる中性子捕捉療法として、ホウ素化合物を用いたホウ素中性子捕捉療法（ＢＮＣＴ：Boron Neutron Capture Therapy）が知られている。ホウ素中性子捕捉療法では、がん細胞に予め取り込ませておいたホウ素に中性子線を照射し、これにより生じる重荷電粒子の飛散によってがん細胞を選択的に破壊する。
【０００３】
このような中性子捕捉療法で用いられる装置として、例えば、特許文献１には、荷電粒子線を出射する加速器と、荷電粒子線が照射されることで中性子線を発生させるターゲットと、ターゲットから発生した中性子線を減速する減速部と、を備えた中性子捕捉療法装置が記載されている。
【０００４】
このような中性子捕捉療法装置では、減速部の外側に、ターゲットから発生した中性子線を反射させると共に増倍させて減速部へ導く反射体が設けられている。減速部から出射した中性子線は、照射野を成形する照射野成形部を通過して、被照射体に照射される。
【先行技術文献】
【特許文献】
【０００５】
【特許文献１】特開２００７−２４２４２２号公報
【発明の概要】
【発明が解決しようとする課題】
【０００６】
ここで、上述のような中性子捕捉療法装置を用いた治療は、他の放射線治療と比較して治療時間が長い。一方、首部等を治療する場合、患者（被照射体）が照射野成形部に患部を向けるような不自然な姿勢を長時間維持する必要があった。以上より、従来、中性子捕捉療法装置での治療中の負担を低減することが求められていた。
【０００７】
本発明は、このような課題を解決するためになされたものであり、治療中の被照射体の負担を低減することができる中性子捕捉療法装置を提供することを目的とする。
【課題を解決するための手段】
【０００８】
本発明に係る中性子捕捉療法装置は、中性子線を被照射体に照射する中性子捕捉療法装置であって、荷電粒子線が照射されることによって中性子線を発生させるターゲットと、中性子線の照射野を成形する照射野成形部と、照射野成形部の出口側に設けられ、被照射体と照射野成形部との間から漏れる中性子線を被照射体へ向かって反射可能に構成された反射部と、を備える。
【０００９】
本発明に係る中性子捕捉療法装置は、照射野成形部の出口側に設けられ、被照射体と照射野成形部との間から漏れる中性子線を被照射体へ向かって反射可能に構成された反射部を備えている。これによって、被照射体と照射野成形部との間から漏れる中性子線は、反射部で反射することによって被照射体へ向かうことができ、被照射体へ照射される。従って、被照射体へ照射される中性子線の照射量を増加させることによって、治療時間を短縮することが可能となる。あるいは、被照射体が負担の少ない姿勢を取っても、反射部によって反射される中性子線を被照射体へ照射させることによって、治療時間の増加を抑制できる。以上により、治療中の被照射体の負担を低減することができる。
【００１０】
本発明に係る中性子捕捉療法装置は、反射部を支持する支持部を更に備えてよい。これによって、支持部が反射部の重量の全部または一部を支えることができる。
【００１１】
本発明に係る中性子捕捉療法装置において、反射部は、被照射体を載置する載置台に設けられてよい。これによって、照射野成形部に対する載置台の位置決めを行うことにより、反射部の位置合わせも同時に行うことが可能となる。
【００１２】
本発明に係る中性子捕捉療法装置において、照射野成形部は、照射軸方向へ延伸可能であり、反射部は、延伸した照射野成形部と被照射体との間から漏れる中性子線を被照射体へ向かって反射可能であってよい。これによって、被照射体を延伸前の照射野成形部から離間した位置に配置することが可能となり、被照射体が負担の少ない姿勢を取ることができる。
【発明の効果】
【００１３】
本発明によれば、治療中の被照射体の負担を低減することができる。
【図面の簡単な説明】
【００１４】
【図１】本発明の実施形態に係る中性子捕捉療法装置の概略構成図である。
【図２】図１に示す中性子捕捉療法装置における中性子線照射部近傍を示す概略構成図である。
【図３】本発明の実施形態に係る中性子捕捉療法装置のコリメータの出口側の構造を示す斜視図であり、被照射体である患者を省略した状態を示す図である。
【図４】（ａ）は本発明の実施形態に係る中性子捕捉療法装置のコリメータの出口側の構造を示す斜視図であり、被照射体である患者を被照射体配置部に配置した状態を示す図であり、（ｂ）は中性子捕捉療法装置を上方から見た概略断面図である。
【図５】（ａ）は患者の患部の一例を示す図であり、（ｂ）は従来の中性子捕捉療法装置を上方から見た概略断面図であり、（ｃ）は従来の中性子捕捉療法装置を横方向から見た概略断面図である。
【図６】変形例に係る中性子捕捉療法装置を上方から見た概略断面図である。
【図７】（ａ）は変形例に係る中性子捕捉療法装置の載置台を示す図であり、（ｂ）は変形例に係る中性子捕捉療法装置を横方向から見た概略断面図である。
【発明を実施するための形態】
【００１５】
以下、添付図面を参照しながら本発明に係る中性子捕捉療法装置について説明する。なお、図面の説明において同一の要素には同一の符号を付し、重複する説明を省略する。
【００１６】
まず、図１及び図２を用いて、本発明の実施形態に係る中性子捕捉療法装置の概要を説明する。図１及び図２に示すように、ホウ素中性子捕捉療法を用いたがん治療を行う中性子捕捉療法装置１は、ホウ素（１０Ｂ）が投与された患者（被照射体）Ｓのホウ素が集積した部位に中性子線を照射してがん治療を行う装置である。中性子捕捉療法装置１は、載置台３に載置された患者Ｓに中性子線Ｎを照射して患者Ｓのがん治療を行う照射室２を有しており、照射室２内には患者Ｓを撮影するためのカメラ４が配置されている。このカメラ４は、例えばＣＣＤカメラである。
【００１７】
患者Ｓを載置台３に載置する等の準備作業は、照射室２外の準備室（不図示）で実施され、患者Ｓが載置された載置台３が準備室から照射室２に移動される。また、中性子捕捉療法装置１は、治療用の中性子線Ｎを発生させる中性子線発生部１０と、照射室２内で載置台３に載置された患者Ｓに中性子線Ｎを照射させる中性子線照射部２０とを備えている。なお、照射室２で準備作業が行われてもよい。
【００１８】
中性子線発生部１０は、荷電粒子線Ｌを作り出す加速器１１と、加速器１１が作り出した荷電粒子線Ｌを輸送するビーム輸送路１２と、荷電粒子線Ｌを走査してターゲットＴに対する荷電粒子線Ｌの照射制御を行う荷電粒子線走査部１３と、荷電粒子線Ｌの電流を測定する電流モニタ１６と、を備えている。加速器１１及びビーム輸送路１２は、略長方形状を成す荷電粒子線生成室１４の室内に配置されており、この荷電粒子線生成室１４は、コンクリート製の遮蔽壁Ｗで覆われた閉鎖空間である。また、荷電粒子線走査部１３は例えば荷電粒子線ＬのターゲットＴに対する照射位置を制御し、電流モニタ１６はターゲットＴに照射される荷電粒子線Ｌの電流を測定する。
【００１９】
加速器１１は、陽子等の荷電粒子を加速して陽子線等の荷電粒子線Ｌを生成するものである。本実施形態では、加速器１１としてサイクロトロンが採用されている。サイクロトロンは、例えば、６０ｋＷ（＝３０ＭｅＶ×２ｍＡ）の荷電粒子線Ｌを生成する能力を有している。なお、加速器１１として、サイクロトロンに代えて、シンクロトロン、シンクロサイクロトロン又はライナック等の他の加速器を用いてもよい。
【００２０】
ビーム輸送路１２の一端は、加速器１１に接続されている。ビーム輸送路１２は、荷電粒子線Ｌを調整するビーム調整部１５を備えている。ビーム調整部１５は、荷電粒子線Ｌの軸を調整する水平型ステアリング電磁石及び水平垂直型ステアリング電磁石と、荷電粒子線Ｌの発散を抑制する四重極電磁石と、荷電粒子線Ｌを整形する四方スリット等を有している。なお、ビーム輸送路１２は荷電粒子線Ｌを輸送する機能を有していればよく、ビーム調整部１５は無くてもよい。
【００２１】
ビーム輸送路１２によって輸送された荷電粒子線Ｌは、荷電粒子線走査部１３によって照射位置を制御されてターゲットＴに照射される。なお、荷電粒子線走査部１３を省略して、常にターゲットＴの同じ箇所に荷電粒子線Ｌを照射するようにしてもよい。
【００２２】
ターゲットＴは、荷電粒子線Ｌが照射されることによって中性子線Ｎを発生させる。ターゲットＴは、例えば、ベリリウム（Ｂｅ）、リチウム（Ｌｉ）、タンタル（Ｔａ）又はタングステン（Ｗ）で構成されており、例えば直径１６０ｍｍ程度の円板状を成している。ターゲットＴが発生させた中性子線Ｎは、中性子線照射部２０によって照射室２内の患者Ｓに向かって照射される。
【００２３】
中性子線照射部２０は、ターゲットＴから出射された中性子線Ｎを減速する減速材２１と、中性子線Ｎ及びガンマ線等の放射線が外部に放出されないように遮蔽する遮蔽体２２とを備えており、この減速材２１と遮蔽体２２とで中性子線Ｎを減速させるモデレータ（減速部）２５が構成されている。
【００２４】
減速材２１は例えば異なる複数の材料から成る積層構造とされており、減速材２１の材料は荷電粒子線Ｌのエネルギー等の諸条件によって適宜選択される。具体的には、例えば加速器１１からの出力が３０ＭｅＶの陽子線でありターゲットＴとしてベリリウムターゲットを用いる場合には、減速材２１の材料は鉛、鉄、アルミニウム又はフッ化カルシウムとすることができる。また、加速器１１からの出力が１１ＭｅＶの陽子線でありターゲットＴとしてベリリウムターゲットを用いる場合には、減速材２１の材料は重水（Ｄ２Ｏ）又はフッ化鉛とすることができる。
【００２５】
遮蔽体２２は、減速材２１を囲むように設けられており、中性子線Ｎ、及び中性子線Ｎの発生に伴って生じたガンマ線等の放射線が遮蔽体２２の外部に放出されないように遮蔽する機能を有する。遮蔽体２２は、荷電粒子線生成室１４と照射室２とを隔てる壁Ｗ１に少なくともその一部が埋め込まれている。また、照射室２と遮蔽体２２との間には、照射室２の側壁面の一部を成す壁体２３が設けられている。壁体２３には、中性子線Ｎの出力口となるコリメータ取付部２３ａが設けられている。このコリメータ取付部２３ａには、中性子線Ｎの照射野を成形するためのコリメータ（照射野成形部）３１が固定されている。
【００２６】
以上の中性子線照射部２０では、荷電粒子線ＬがターゲットＴに照射され、これに伴いターゲットＴが中性子線Ｎを発生させる。ターゲットＴによって発生した中性子線Ｎは、減速材２１内を通過している際に減速され、減速材２１から出射された中性子線Ｎは、コリメータ３１を通過して載置台３上の患者Ｓに照射される。ここで、中性子線Ｎとしては、比較的エネルギーが低い熱中性子線又は熱外中性子線を用いることができる。
【００２７】
次に、図３及び図４を参照して本実施形態に係る中性子捕捉療法装置１のコリメータ３１の出口３１ｂ側の構造について詳細に説明する。図３は、中性子捕捉療法装置１のコリメータ３１の出口３１ｂ側の構造を示す斜視図であり、被照射体である患者Ｓを省略した状態を示す図である。図４（ａ）は、中性子捕捉療法装置１のコリメータ３１の出口３１ｂ側の構造を示す斜視図であり、被照射体である患者Ｓを被照射体配置部ＰＡに配置した状態を示す図である。図４（ｂ）は、中性子捕捉療法装置１のコリメータ３１の出口３１ｂ側の構造の概略断面図である。図３に示すように、中性子捕捉療法装置１は、コリメータ３１の出口３１ｂ側に設けられた反射部５０を備えている。なお、コリメータ３１の出口３１ｂは、壁体２３の外側を向いた開口部であり、入口３１ｃは、壁体２３の内側（モデレータ２５側）を向いた開口部である。反射部５０は、被照射体配置部ＰＡに被照射体である患者Ｓが配置された場合に、当該患者Ｓとコリメータ３１との間から漏れる中性子線Ｎを患者Ｓへ向かって反射可能に構成されている。なお、被照射体配置部ＰＡは、中性子線Ｎの被照射体となる患者Ｓ（特に、治療対象となる腫瘍ＣＳ、すなわち照射部位が形成される患部）を配置するために設定された位置であり、少なくともコリメータ３１の出口３１ｂと対向する位置であって、中性子線Ｎの照射軸ＣＬが通過する位置に設定される。なお、中性子線Ｎの照射軸ＣＬは、コリメータ３１の中心軸と一致する。また、照射軸ＣＬが延びる方向を以下の説明では「照射軸方向」と称する。図４に示す例では、患者Ｓの首部に腫瘍ＣＳが形成されており、被照射体配置部ＰＡに患者Ｓの患部である首部が配置される。
【００２８】
反射部５０は、少なくとも被照射体配置部ＰＡに患者Ｓの首部（患部）が配置された場合に、当該首部（患部）を取り囲むように配置される反射部材５１によって構成される。本実施形態では、反射部５０は、患者Ｓの首部（患部）を挟んで互いに対向するように、コリメータ３１の出口３１ｂの両縁部付近にそれぞれ配置される一対の反射部材５１によって構成されている。反射部材５１は、壁体２３の外面２３ｂ（または、コリメータ３１の外面でもよい）から突出するように形成及び配置される。反射部材５１の面のうち、少なくとも被照射体配置部ＰＡ側の面、すなわち内面が中性子線Ｎを反射させる反射面５１ａとして機能する。反射部材５１は、中性子線Ｎを反射可能な材質によって構成されており、例えば、鉄、鉛、タングステンなどによって構成されている。ただし、少なくとも反射面５１ａが前述のような中性子線Ｎを反射可能な材質によって構成されていればよく、他の部分の材質は特に限定されず、反射面５１ａより軽い材質で構成してもよい。
【００２９】
反射部材５１は、患者Ｓの首部が延びる方向（本実施形態では略鉛直方向）に沿って広がると共に、照射軸方向に沿って延びる板状部材によって構成されている。一対の反射部材５１は、照射軸ＣＬを挟んで水平方向に互いに対向している。反射部材５１は、上下方向から見て、幅方向（照射軸ＣＬと直交し、且つ、鉛直方向と直交する方向）の外側へ窪むように曲がっている。反射部材５１の基端部５１ｂは、中性子線Ｎが漏れないように、壁体２３の外面２３ｂ（または、コリメータ３１の外面）と直接、又は他の部材を介して間接的に接続されていてよいが、反射面５１ａを中性子線Ｎを反射できる範囲で離間していてもよい。なお、一方の反射部材５１の基端部５１ｂと他方の反射部材５１の基端部５１ｂとの間の空間は、反射部５０内に中性子線Ｎ（漏れ中性子線ＬＮを含む）を導くための開口部として機能する。反射部材５１の先端部５１ｃの位置は、特に限定されず、被照射体配置部ＰＡに配置された患者Ｓの首部よりも照射軸方向の下流側まで延びていてもよいが、延びていなくともよい。反射部材５１の先端部５１ｃは、基端部５１ｂよりも幅方向の内側へ配置される。一方の反射部材５１の先端部５１ｃは、他方の反射部材５１の先端部５１ｃから離間している。ただし、先端部５１ｃ同士が接続されて、各反射部材５１が一つの部材として構成されていてもよい。反射部材５１の下端部５１ｄの位置は特に限定されないが、例えば、患者Ｓの肩と当接可能な位置に設定されてよい。反射部材５１の上端部５１ｅの位置は特に限定されないが、例えば、患者Ｓの顎に沿った位置に配置されてよい。
【００３０】
ここで、反射面５１ａの構成について説明する。反射面５１ａは、患者Ｓの首部が延びる方向に沿って広がると共に、照射軸方向に沿って延びるように形成される。本実施形態では、患者Ｓが上半身を起こし、首部（患部）が略鉛直方向に延びるような姿勢となっているときの反射部５０を例示しているため、反射面５１ａは略鉛直に沿って広がっている。また、反射面５１ａは、被照射体配置部ＰＡに患者Ｓが配置された場合に、当該患者Ｓとコリメータ３１との間から漏れる中性子線Ｎ（以下の説明では、漏れ中性子線と称し、図４（ｂ）においてＬＮで示す）を患者Ｓへ向かって反射可能に形成されている。漏れ中性子線ＬＮは、コリメータ３１の出口３１ｂから出射する中性子線Ｎのうち、直接患者Ｓへ照射されることなく、コリメータ３１の出口３１ｂと患者Ｓと間に形成される隙間から漏れて、出口３１ｂよりも幅方向外側へ広がる中性子線Ｎである。具体的には、反射面５１ａは、漏れ中性子線ＬＮを反射させて、患者Ｓへ向かうように各箇所において角度設定されている。反射面５１ａは、漏れ中性子線ＬＮを患者Ｓの腫瘍ＣＳの位置へ向かって反射可能に設定されていることが好ましい。図に示す例では、反射面５１ａは、上下方向から見て、幅方向（照射軸ＣＬと直交する方向）の外側へ窪むように曲がっている。反射面５１ａは、湾曲した曲面によって構成されていてもよく、複数の平面を組み合わせて構成されていてもよい。ただし、漏れ中性子線ＬＮを反射して患者Ｓへ向かわせることができる限り、反射面５１ａは曲がることなく平面状に構成されてもよい。例えば、平面状の反射面５１ａを照射軸ＣＬに対して傾斜（先端部５１ｃが照射軸ＣＬに近づくように）させてもよい。
【００３１】
なお、図に示す例では、反射面５１ａは、上下方向から見て曲がるように構成されているが、それに加え、照射軸ＣＬ周りに曲がっていてもよい。また、中性子線Ｎが反射部材５１の先端部５１ｃ側から漏れることを抑制するため、反射面５１ａのうち先端部５１ｃ側の一部（例えば、図４（ｂ）においてＴＰで示す部分）が、被照射体配置部ＰＡに配置された患者Ｓと接触してもよいが、接触する部分を有していなくともよい。また、反射部材５１の外面５１ｆは、反射面５１ａと対応して曲がっているが、外面５１ｆの形状は特に限定されない。
【００３２】
例えば、図４（ａ）に示すように、中性子捕捉療法装置１は、反射部５０を支持する支持部５２を備えていてよい。支持部５２は、反射部材５１をそれぞれ支持する支持部材５３によって構成されている。図４（ａ）に示す例では、支持部材５３は、下方から延びて上端部において反射部材５１を下側から支持する棒状部材によって構成されている。支持部材５３の上端部には反射部材５１の下端部５１ｄを受ける受部５３ａが形成されている。なお、支持部５２の構成は、図４（ａ）に示すものに限定されず、例えば、上方から反射部材５１を吊るすことで支持するものであってもよく、患者に固定（例えば方に載せる等）してもよい。また、支持部５２は、治療台や床等に固定してもよい。
【００３３】
反射部５０を予め壁体２３に取り付けておき、当該反射部５０が出口３１ｂ側に設けられた状態で患者Ｓを被照射体配置部ＰＡに配置してもよい。または、予め患者Ｓの首部（患部）の周りに反射部５０を取り付けておき、当該状態で患者Ｓを被照射体配置部ＰＡに配置すると共に、反射部５０をコリメータ３１に対して配置することで、反射部５０が出口３１ｂ側に設けられてもよい。なお、反射部５０と壁体２３（またはコリメータ３１）とが固定されることによって、壁体２３が反射部５０の重量を支えてよい。また、反射部５０と壁体２３（またはコリメータ３１）が固定されていなくともよく、例えば、支持部５２が反射部５０の重量の全部または一部を支えてもよい。
【００３４】
次に、本実施形態に係る中性子捕捉療法装置１の作用・効果について説明する。
【００３５】
まず、従来の中性子捕捉療法装置について説明する。例えば、図５（ｂ），（ｃ）に示すように、従来の中性子捕捉療法装置では、コリメータ３１の出口３１ｂ側には本実施形態のような反射部５０は設けられていない。ここで、図５（ａ）に示すように、例えば、腫瘍ＣＳが首部に形成されていた場合、特に頭頸部に腫瘍ＣＳが形成されていたような場合、患者Ｓがコリメータ３１の出口３１ｂに患部を向けるような不自然な姿勢を取らなくてはならない。一方、従来の中性子捕捉療法装置では、治療に十分な中性子線Ｎを照射するために、治療時間が他の放射線治療と比較して長時間（例えば３０分以上）となっていた。従って、図５（ｃ）に示すように、患者Ｓが不自然な姿勢を長時間維持する必要があった。
【００３６】
一方、本実施形態に係る中性子捕捉療法装置１は、コリメータ３１の出口３１ｂ側に設けられ、患者Ｓとコリメータ３１との間から漏れる漏れ中性子線ＬＮを患者Ｓへ向かって反射可能に構成された反射部５０を備えている。これによって、患者Ｓとコリメータ３１との間から漏れる漏れ中性子線ＬＮは、反射部５０で反射することによって患者Ｓ（患者Ｓの腫瘍ＣＳ）へ向かうことができ、患者Ｓへ照射される。従って、患者Ｓへ照射される中性子線Ｎの照射量を増加させることによって、治療時間を短縮することが可能となる。また、例えば従来の中性子捕捉療法装置では、患者Ｓが負担を低減するような姿勢を取った場合は、腫瘍ＣＳへの中性子線Ｎの照射量が低減し、治療時間が増加することによって患者Ｓの負担を低減できない場合がある。しかしながら、本実施形態に係る中性子捕捉療法装置１によれば、患者Ｓが負担の少ない姿勢を取っても、反射部５０によって反射される中性子線Ｎを患者Ｓの腫瘍ＣＳへ照射させることによって、治療時間の増加を抑制できる。例えば、患者Ｓが負担の少ない姿勢を取って、治療時間を従来の中性子捕捉療法装置と略同等としてよい。あるいは、治療時間を従来に比して短くできる範囲内で、患者Ｓの姿勢の負担を低減するように設定してもよい。以上により、治療中の患者Ｓの負担を低減することができる。
【００３７】
また、本実施形態に係る中性子捕捉療法装置１は、反射部５０を支持する支持部５２を備えてよい。これによって、支持部５２が反射部５０の重量の全部または一部を支えることができる。従って、患者Ｓに反射部５０の重量が作用することを防止または低減することができる。
【００３８】
本発明は、上述の実施形態に限定されるものではない。
【００３９】
例えば、図６に示すような変形例に係る中性子捕捉療法装置１００を採用してもよい。中性子捕捉療法装置１００では、照射野成形部として、照射軸方向へ延伸可能に構成されたコリメータ１３１が採用されている。コリメータ１３１は、壁体２３に設けられた部分から照射軸方向へ延伸可能な延伸部１３２を備えている。延伸部１３２は、中性子線Ｎの散逸を抑制するために、コリメータ１３１の出口を患者Ｓに近づけるためのものであり、例えばリーフ板などによって構成されている。本実施形態では、コリメータ１３１を延伸した場合、反射部１５０は、延伸部１３２の先端部１３２ａに配置される。反射部１５０は、延伸部１３２の先端部１３２ａに基端部１５１ｂが接続された反射部材１５１によって構成される。反射部１５０は、延伸したコリメータ１３１、すなわち延伸部１３２と患者Ｓとの間から漏れる漏れ中性子線ＬＮを患者Ｓの腫瘍ＣＳへ向かって反射可能である。これによって、患者Ｓを延伸前のコリメータ１３１から離間した位置、すなわち、壁体２３から離間した位置に配置することが可能となり、患者Ｓが負担の少ない姿勢を取ることができる。このように、患者Ｓが負担の少ない姿勢を取った場合であっても、反射部１５０によって反射される中性子線Ｎを患者Ｓの腫瘍ＣＳへ照射させることによって、治療時間の増加を抑制し、従来の中性子捕捉療法装置の治療時間と同等または短い時間で治療を行うことができる。
【００４０】
例えば、図７に示すような変形例に係る中性子捕捉療法装置２００を採用してもよい。中性子捕捉療法装置２００では、患者Ｓを載置するための載置台として患者Ｓを寝た状態で載置するベッドタイプの載置台２０３が採用されている。また、反射部２５０は、載置台２０３に設けられている。具体的には、反射部２５０は、載置台２０３の上面２０３ａのうち、患者Ｓの患部である首部に対応する位置に設けられた反射部材２５１によって構成される。反射部材２５１は、載置台２０３に取り付けられて患者Ｓの首部の後側に配置される第１の部分２５２と、第１の部分２５２と上方で対向して患者Ｓの首部の前側に配置される第２の部分２５３と、第１の部分２５２及び第２の部分２５３同士を照射軸方向の下流側で連結する第３の部分２５４と、を備えている。反射部材２５１は、各部分２５２，２５３の端部（照射軸方向の上流側の端部）２５２ｂ，２５３ｂ同士の間が開口しており、当該開口部から中性子線Ｎが反射部２５０内に導かれる。なお、図７に示す例では、患者Ｓが寝た状態であるため、首部は略水平方向に延びる。従って、反射部材２５１の反射面２５２ａ，２５３ａは、略水平方向に沿って広がると共に、照射軸方向に沿って延びる。また、反射部材２５１の端部２５２ｂ，２５３ｂがコリメータ２３１の延伸部２３２の先端部と接続されるように配置されているが、延伸されていない状態のコリメータ２３１の出口と接続されてよい。以上のような構成により、コリメータ２３１に対する載置台２０３の位置決めを行うことにより、反射部２５０の位置合わせも同時に行うことが可能となる。
【００４１】
なお、上述の実施形態では、特に効果的であるとして、首部が患部である場合を例として説明したが、患部は肩や胴などの他の部分であってもよい。また、患部の形状に応じて、反射部によって反射された中性子線が腫瘍へ向かうように、反射部の反射面の形状を設定してよい。
【符号の説明】
【００４２】
１，１００，２００…中性子捕捉療法装置、３，２０３…載置台、１０…中性子線発生部、１１…加速器、２０…中性子線照射部、２５…モデレータ（減速部）、３１，１３１，２３１…コリメータ（照射野成形部）、５０，１５０，２５０…反射部、５２…支持部。
【図１】
2015084808.tif 000003
【図２】
2015084808.tif 000004
【図３】
2015084808.tif 000005
【図４】
2015084808.tif 000006
【図５】
2015084808.tif 000007
【図６】
2015084808.tif 000008
【図７】
2015084808.tif 000009